(57)【要約】      （修正有）【課題】コンセント内部への浸水を抑えることができる床用配線器具を提供する。【解決手段】開口部３２ｂを有する枠部と、枠部に対してヒンジ部３７を中心として開口部を閉塞する位置と前記開口部を開放する位置との間で回動される蓋部３３とを有するフロアプレート３１とを備え、電源用コンセント２４の前面２４ａが蓋部の回動中心であるヒンジ部と直方向において重ならない位置、且つ、開口部の開口幅よりも外側である奥側に配置される。【選択図】図２
2015165734.tif 000002
【特許請求の範囲】
【請求項１】
床に埋込配設されるボックスと、
プラグが着脱自在に差し込まれるコンセントを有し、前記ボックス内に収容されるとともに前記ボックスに固定されるコンセントモジュールと、
開口部を有する枠部と、前記枠部に対してヒンジ部を中心として前記開口部を閉塞する位置と前記開口部を開放する位置との間で回動される蓋部とを有するフロアプレートと
を備えた床用配線器具であって、
前記コンセントモジュールは、前記コンセントが前記蓋部の回動中心と鉛直方向において重ならない位置、且つ、前記開口部よりも奥側に配置されることを特徴とする床用配線器具。
【発明の詳細な説明】
【技術分野】
【０００１】
本発明は、床用配線器具に関するものである。
【背景技術】
【０００２】
従来、オフィスなどでは、スラブのような床下地の上に、配線用の空間を空けて室内空間の床となる床材が設けられており、このような床材に取り付けられる配線器具として、床用配線器具が知られている（例えば特許文献１参照）。
【０００３】
このような床用配線器具は、電力用コンセント、電話用モジュラジャックコンセント、ＬＡＮ（Local Area Network）用コンセントなどの電気部品を内部に収容するボックスを有している。そして、ボックスの上部には、開口部を有する枠部と開口部を閉塞する位置と前記開口部を開放する位置との間で回動される蓋部とを有するフロアプレートが取り付けられている。蓋部は、例えば開口部の縁部においてヒンジ部を中心として回動されることで前述したように開口部を閉塞する位置と開放する位置との間で回動可能とされる。また、このような床用配線器具では、差し込みプラグをコンセントに差し込みやすい様に、コンセントの前面が斜め上方を向くように傾斜されている。
【先行技術文献】
【特許文献】
【０００４】
【特許文献１】特開２０１２−２２８０９７号公報
【発明の概要】
【発明が解決しようとする課題】
【０００５】
ところで、上記のような床用配線器具では、コンセントを斜め上方を向くように傾斜させているため、例えば、枠部と蓋部との隙間から水が浸水し、コンセント穴に水が入る虞がある。これによってコンセント内部の導電部が錆びたり、腐食して絶縁性能が悪化し、感電や漏電の原因となる虞がある。
【０００６】
本発明は、上記課題を解決するためになされたものであって、その目的は、コンセント内部への浸水を抑えることができる床用配線器具を提供することにある。
【課題を解決するための手段】
【０００７】
上記課題を解決するために、床用配線器具は、床に埋込配設されるボックスと、プラグが着脱自在に差し込まれるコンセントを有し、前記ボックス内に収容されるとともに前記ボックスに固定されるコンセントモジュールと、開口部を有する枠部と、前記枠部に対してヒンジ部を中心として前記開口部を閉塞する位置と前記開口部を開放する位置との間で回動される蓋部とを有するフロアプレートとを備えた床用配線器具であって、前記コンセントモジュールは、前記コンセントが前記蓋部の回動中心と鉛直方向において重ならない位置、且つ、前記開口部よりも奥側に配置されることを特徴とする。
【発明の効果】
【０００８】
本発明の床用配線器具によれば、コンセント内部への浸水を抑えることができる床用配線器具を提供することができる。
【図面の簡単な説明】
【０００９】
【図１】実施形態における床用配線器具の斜視図である。
【図２】同上における床用配線器具の分解斜視図である。
【図３】同上における床用配線器具の平面図である。
【図４】同上における床用配線器具の側面図である。
【発明を実施するための形態】
【００１０】
以下、床用配線器具の一実施形態を図１〜図４に従って説明する。
本実施形態の床用配線器具は、オフィスなどで用いられるものであり、スラブのような床下地の上に、室内空間の床を構成する床材を設置し、床下地と床材との間に設けられた空間に配線などを施工する配線方式を採用している。
【００１１】
図１及び図２に示すように床用配線器具１０は、天板部材１１と、配線器具ブロック２１と、フロアプレート３１とを有する。また、床用配線器具１０は、配線器具ブロック２１に接続された電線を収納する空間を、床材の裏側の空間と仕切るための仕切り部材４１とを有する。
【００１２】
天板部材１１は、金属の薄板にプレス加工を施して四角形環状をなすように形成される。天板部材１１の内周側の角部には、対応する配線器具ブロック２１を取り付けるための取付ねじ２７をそれぞれ挿通させる挿通孔１１ａが設けられる。また、天板部材１１には前記挿通孔１１ａの近傍に後述するプレート部材３２を固定するための取付ねじ３５がそれぞれねじ込まれるねじ孔１１ｂが設けられる。
【００１３】
配線器具ブロック２１は、強電用の配線器具として用いられるＡＣ１００Ｖ用の電源用コンセント２４と、ボックスとしての取付金具２５と、電線固定金具２６とを有する。
電源用コンセント２４には、大角形連用配線器具として規格化された既存の配線器具（２極接地極付コンセント）が用いられる。
【００１４】
取付金具２５は、金属板にプレス加工を施して形成される。取付金具２５は、孔２５ａを通して電源用コンセント２４の前面２４ａを露出させる器具保持片２５ｂを備えている。この器具保持片２５ｂは、下側に向かって斜め前方（図４の斜め左側）に傾斜しており、電源用コンセント２４もこれに伴って傾斜するように設けられるため、プラグを差し込みやすくなっている。
【００１５】
図２に示すように、器具保持片２５ｂの上側縁中央部からは、床材の下面に当接する当接片２５ｃが一方向（電源用コンセント２４の前面とは反対側）に突出して設けられている。
【００１６】
器具保持片２５ｂの上側縁両端部からは、当接片２５ｃと逆方向に突出する固定片２５ｄが設けられている。また、器具保持片２５ｂの上側縁部であって各固定片２５ｄの間には、前記固定片２５ｄの突出方向（設置時における略水平方向）と交差する方向である斜め上方向に突出する片刃差し込み規制片２５ｅが設けられている。
【００１７】
また器具保持片２５ｂの下側縁には、前記固定片２５ｄと同方向に突出して、仕切り部材４１を固定するための固定片２５ｆが設けられている。
この配線器具ブロック２１は、天板部材１１との間で床材を挟持することによって床材に固定される。すなわち、天板部材１１の挿通孔１１ａにそれぞれ挿通された取付ねじ２７を、対応する固定片２５ｄのねじ孔にねじ込むことによって、天板部材１１と配線器具ブロック２１とが連結される。そして、天板部材１１と配線器具ブロック２１との間に床材を挟んだ状態で取付ねじ２７をねじ込むと、天板部材１１と当接片２５ｃとの間で床材が強く挟持され、配線器具ブロック２１が床材に固定されるようになっている。
【００１８】
電線固定金具２６は、取付金具２５の固定片２５ｆに螺子固定されており、その後側縁には、合成樹脂により帯状に形成された結束バンド（図示せず）を挿通する挿通孔２６ａが複数形成されている。電源用コンセント２４の後面に、床材の下側の配線スペースに配線された電力線（図示せず）を挿通すると、内部に収納された速結端子構造の端子部（図示せず）に電力線が接続されるようになっている。本実施形態では、施工者が、電源用コンセント２４に接続した電力線を、挿通孔２６ａに通した結束バンドで結束することによって、電力線を電線固定金具２６に固定することができ、端子部に加わる張力を低減できる。
【００１９】
なお、本実施形態の床用配線器具１０では、仕切り部材４１を挟んで前記配線器具ブロック２１とは反対側には、例えば弱電用の配線器具として用いられるＬＡＮコンセントを取り付けるための取付金具２５が設けられる。この取付金具２５は、配線器具ブロック２１に取付金具２５と略同様の構成を有しているため、共通する構成要素には同一の符号を付して、その説明は省略する。
【００２０】
仕切り部材４１は、金属板を略Ｕ字型に曲げ加工することによって形成され、中央片４１ａには取付金具２５に設けられた固定片２５ｆのねじ孔にそれぞれ対応する位置に挿通孔４１ｂが形成されている。この仕切り部材４１は、挿通孔４１ｂに挿通した固定ねじ４１ｃが対応する固定片２５ｆのねじ孔にねじ込まれることで、各取付金具２５に固定されるようになっている。そして、この仕切り部材４１は、各取付金具２５とともに、床材の下側の空間を仕切って、配線器具ブロック２１等に接続される電線を収める収納空間を形成する。
【００２１】
図１〜図４に示すように、フロアプレート３１は、枠部としてのプレート部材３２と、蓋部３３とを有する。
プレート部材３２は、例えばアルミダイキャストにより、４辺の長さが略等しい矩形枠状に形成されており、縁部３２ａと、縁部３２ａの中央には矩形の開口部３２ｂを有する。ここで、図４に示すように、前記電源用コンセント２４は、その前面２４ａが前記開口部３２ｂの開口幅よりも外、即ち奥側（図４右側）に配設される。このため、電源用コンセント２４は、床用配線器具１０を鉛直方向上側から下方向を見た時に、縁部３２ａによって隠れた位置に配設されることとなる。
【００２２】
縁部３２ａは、開口部３２ｂの開口端縁において、１辺を除く３辺から内側方向に突出して、蓋部３３が閉じられた際に蓋部３３の一部が載置される載置片３２ｃが形成されている。この載置片３２ｃには、天板部材１１にそれぞれ設けられたねじ孔１１ｂに対応する位置に、取付ねじ３５を挿通する各２個の挿通孔３２ｄが設けられる。蓋部３３は、開口部３２ｂの開口端縁のうち載置片３２ｃが形成されていない１辺と平行な回転軸を有するヒンジ部３７を中心に回動可能とされる。このとき、ヒンジ部３７は、前記コンセント２４と鉛直方向（図４における上下方向）に重ならない位置に設けられる。
【００２３】
蓋部３３は、例えばアルミダイキャストにより矩形板状に形成された蓋板３３ａを有する。蓋板３３ａには、配線器具ブロック２１に接続される電線（図示せず）を通すための凹部３３ｂが形成されている。また蓋板３３ａには、例えばアルミダイキャストにより横長の矩形板状に形成されて、凹部３３ｂを開閉自在に閉塞する通線用扉３３ｃが回転自在に取り付けられている。この通線用扉３３ｃの下面には、図２に示すように下方に突出する複数（本実施形態では例えば２個）の脚片３３ｄが間隔を開けて設けられている。なお、脚片３３ｄの間には、通線用扉３３ｃの開口を通して床下に配線される電線（図示せず）を保護するためのブッシング３３ｅが保持されている。
【００２４】
次に、本実施形態の作用を説明する。
本実施形態の床用配線器具１０は、電源用コンセント２４を有するため、使用者が電源を必要とする際に、蓋部３３を回動させて開口部３２ｂを開放することで電源用コンセント２４を利用することが可能となっている。このとき、蓋部３３の回動中心（ヒンジ部３７）と電源用コンセント２４が鉛直方向において重ならないため、蓋部３３を開閉（回動）させても、水滴等はヒンジ部３７側に移動するため、電源用コンセント２４に水滴が垂れることが抑えられている。さらに、電源用コンセント２４は、その前面２４ａが開口部３２ｂよりも奥側に配置されるため、電源用コンセント２４の内部に直接水滴が垂れることが抑えられる。
【００２５】
次に、本実施形態の効果を記載する。
（１）電源用コンセント２４の前面２４ａが蓋部３３の回動中心であるヒンジ部３７と鉛直方向において重ならない位置、且つ、開口部３２ｂよりも奥側に配置される。これによって、電源用コンセント２４の前面２４ａがフロアプレート３１の縁部３２ａによって隠れた状態となるため、コンセント２４内部が浸水することを抑えることができる。また、蓋部３３を回動させてもヒンジ部３７側に積極的に水が移動されるため、コンセント２４内部が浸水することを抑えることができる。これによって、電源用コンセント２４内部の導電部が錆びたり腐食したりすることが抑えられ、絶縁性能の劣化を抑えることができる。
【００２６】
なお、上記実施形態は、以下のように変更してもよい。
・上記実施形態では、配線器具ブロック２１に、強電用としてＡＣ１００Ｖ用の電源用コンセント２４を備える構成としたが、ＬＡＮ用コンセントや電話用モジュラジャックコンセントを採用してもよい。このような場合であっても、上記実施形態の効果と同様の効果を奏することができる。
【００２７】
・上記実施形態では、フロアプレート３１として、枠部としてのプレート部材３２と、蓋部３３とを有する構成としたが、枠部として更に天板部材１１を含めてもよい。この場合、天板部材１１の開口部よりも奥側に電源用コンセント２４を配置することが好ましい。
【符号の説明】
【００２８】
１０…床用配線器具、２４…コンセント、２５…取付金具（ボックス）、３１…フロアプレート、３２…プレート部材（枠部）、３２ｂ…開口部、３３…蓋部、３７…ヒンジ部。
【図１】
2015165734.tif 000003
【図２】
2015165734.tif 000004
【図３】
2015165734.tif 000005
【図４】
2015165734.tif 000006